(57)【要約】【課題】  エネルギー利用効率が良く、安定した映像が得られる映像表示装置およびその制御方法を提供することを目的とする。【解決手段】  周波数測定部１８は、入力映像信号Ｖinの同期信号ＳＹＮＣの周波数を測定する。記憶部１５は、入力映像信号Ｖinの同期信号ＳＹＮＣの周波数と、入力映像信号Ｖinの解像度と、電源部が映像信号処理部４に供給する映像信号処理を施すのに必要な最低限の電力としての所定の電圧Ｖｘとに関するデータテーブルを記憶している。解像度識別部１７は、周波数測定部１８が測定した前記周波数に応じて記憶部１５のデータテーブルから解像度を識別する。制御部１６は、前記解像度に応じて記憶部１５のデータテーブルから所定の電圧Ｖｘを選定する。制御部１６は、電源部１０が映像信号処理部４の映像コンバータ５およびビデオスケーラ６に供給する電力として、電源部１０に所定の電圧Ｖｘを設定する。【選択図】      図１
2006038981.tif 000002
【特許請求の範囲】
【請求項１】
入力された映像信号を表示部に表示する映像表示装置であって、
前記入力映像信号の解像度を識別する解像度識別部と、
少なくとも前記入力映像信号で表される映像を拡大および縮小することによって、前記入力映像信号の解像度を前記表示部の解像度に一致させる処理を含む、前記入力画像信号を前記表示部にて表示するのに適した信号に処理する映像信号処理部と、
少なくとも前記映像信号処理部に所定の電力を供給する電源部と、
前記解像度識別部、前記映像信号処理部、前記電源部とを制御する制御部とを、備え、
前記制御部は、前記入力映像信号の解像度に応じて、前記電源部の供給する電力に関する値を所定の値に設定することを特徴とする映像表示装置。
【請求項２】
前記入力映像信号の同期信号の周波数と、前記入力映像信号の解像度と、前記電源部が供給する所定の電力とに関するデータテーブルを記憶する記憶部と、
前記入力映像信号の同期信号の周波数を測定する周波数測定部とをさらに備え、前記解像度識別部は、前記周波数測定部が測定した周波数に応じて前記記憶部の前記データテーブルから前記解像度を識別し、
前記制御部は、前記解像度識別部が識別した解像度に応じ、前記記憶部の前記データテーブルから前記所定の電力に関する値を選定することを特徴とする請求項１項記載の映像表示装置。
【請求項３】
入力された映像信号を表示部に表示する映像表示装置であって、
前記入力映像信号の同期信号の周波数から解像度を識別する解像度識別部と、
少なくとも前記入力映像信号で表される映像を拡大および縮小することによって、前記入力映像信号の解像度を前記表示部の解像度に一致させる処理を含む、前記入力画像信号を前記表示部にて表示するのに適した信号に処理する映像信号処理部と、
少なくとも前記映像信号処理部に所定の電力を供給する電源部と、
前記解像度識別部、前記映像信号処理部、前記電源部とを制御する制御部とを、備え、
前記制御部は、前記入力映像信号の同期信号の周波数に応じて、前記電源部の供給する電力に関する値を所定の値に設定することを特徴とする映像表示装置。
【請求項４】
前記入力映像信号の同期信号の周波数と、前記入力映像信号の解像度と、前記電源部が供給する所定の電力とに関するデータテーブルを記憶する記憶部と、
前記入力映像信号の同期信号の周波数を測定する周波数測定部とをさらに備え、前記解像度識別部は、前記周波数測定部が測定した周波数に応じて前記記憶部の前記データテーブルから前記解像度を識別し、
前記制御部は、前記周波数測定部が測定した周波数に応じ、前記記憶部の前記データテーブルから前記所定の電力に関する値を選定することを特徴とする請求項３項記載の映像表示装置。
【請求項５】
前記所定の電力は、前記電源部が供給する所定の電圧値により管理されることを特徴とする請求項１〜４のいずれか１項に記載の映像表示装置。
【請求項６】
請求項１〜５のいずれか１項に記載の映像表示装置を備えることを特徴とするプロジェクタ。
【請求項７】
入力された映像信号の解像度を入力映像信号の同期信号の周波数から識別する解像度識別工程と、
所定の電力を供給する電源部に、前記解像度識別工程にて測定された前記入力映像信号の同期信号の周波数に応じた所定の電力に関する値を設定する電力値設定工程と、
前記入力映像信号で表される映像が、映像を表示する表示部に適した映像となるように、前記入力映像信号に少なくともスケーリングを含む処理を施す映像信号処理工程とを含むことを特徴とする映像表示装置の制御方法。
【発明の詳細な説明】
【技術分野】
【０００１】
本発明は、入力された映像信号を表示部に表示する映像表示装置に関する。
【背景技術】
【０００２】
パーソナルコンピュータのコンピュータ画像を表すＲＧＢ信号や、ビデオレコーダやテレビジョン受信機からのコンポジット信号として外部機器から入力される映像信号に、入力映像信号で表される映像を拡大および縮小する処理（以降、スケーリングという）などを施すことにより、備え付けの表示部の解像度などに合わせた映像信号としてから、表示部で表示する映像表示装置が知られている。このような映像表示装置を備えた機器としては、プロジェクタや、液晶テレビ、プラズマテレビなどが挙げられる。
【０００３】
例えば、プロジェクタの場合、入力されたアナログ映像信号の同期信号の周波数を測定し、入力された映像の解像度を識別する。ここで、プロジェクタの表示部である液晶ライトバルブの解像度は既知であるので、液晶ライトバルブの解像度と、入力映像信号の解像度の比率を求めることができる。続いて、入力映像信号の解像度をプロジェクタの表示部である液晶ライトバルブの解像度に一致させるために、入力映像信号の解像度と液晶ライトバルブの解像度の比率に合わせて映像信号をスケーリングする。このような、プロジェクタが、例えば、以下の特許文献１に開示されている。
【０００４】
【特許文献１】国際公開第９８／２０４７７号パンフレット
【発明の開示】
【発明が解決しようとする課題】
【０００５】
前述のスケーリングを施すとき、スケーリングを施す映像信号処理部の消費電力は、入力映像信号の解像度にほぼ比例しており、入力映像信号の解像度が高くなると消費電力は増加する。これは、入力映像信号の解像度が高くなると、映像信号処理を施す情報量が増えるため、基準クロックの速さを上げて処理する必要があり、また、基準クロックが速くなるのに比例して映像信号処理部の消費電力も増えるからである。しかしながら、特許文献１を含む従来の映像表示装置においては、このような入力映像信号の解像度と、スケーリングを施す映像信号処理部の消費電力の関係については考慮されていない。よって、映像信号処理部に常に一定の電力が供給されているため、エネルギー利用効率が悪く、また、入力映像信号の解像度が低く基準クロックが遅いときには過剰な電力が供給された状態となっているため、余分な電力は熱エネルギーとして発散している。このように、映像信号処理部が慢性的に発熱する構成となっているため動作が不安定となり、安定した映像を得ることが困難であるという問題を有している。
【０００６】
上記課題を解決するために、本発明では、エネルギー利用効率が良く、安定した映像が得られる映像表示装置およびその制御方法を提供することを目的とする。
【課題を解決するための手段】
【０００７】
前記目的を達成するために、本発明の映像表示装置によれば、入力された映像信号を表示部に表示する映像表示装置であって、入力映像信号の解像度を識別する解像度識別部と、少なくとも入力映像信号で表される映像を拡大および縮小することによって、入力映像信号の解像度を表示部の解像度に一致させる処理を含む、入力画像信号を表示部にて表示するのに適した信号に処理する映像信号処理部と、少なくとも映像信号処理部に所定の電力を供給する電源部と、解像度識別部、映像信号処理部、電源部とを制御する制御部とを、備え、制御部は、入力映像信号の解像度に応じて、電源部の供給する電力に関する値を所定の値に設定することを特徴とする。
【０００８】
前述した通り、映像信号処理部がスケーリングを施すときの消費電力は、入力映像信号の解像度に比例しており、入力映像信号の解像度が高くなると消費電力は増加する。よって、入力映像信号の解像度が解れば、映像信号処理部が映像信号にスケーリングを施す際に必要な最低限の消費電力をあらかじめ把握することができる。この構成によれば、解像度識別部は入力映像信号の解像度を識別し、制御部は解像度識別部が識別した入力映像信号の解像度に応じて、少なくとも映像信号処理部に供給する電源部の電力に関する値を所定の値に設定する。
【０００９】
ここで、映像信号処理部に供給する所定の電力に関する値を、あらかじめ把握している必要最低限の電力とすることにより余分なエネルギー消費を防ぐことができる。また、映像信号処理部に過剰な電力が供給されている場合は、余分な電力は熱エネルギーとなって慢性的に発散されるが、必要最低限の電力が供給されているため余分な発熱を抑えることができる。よって、発熱を抑えられることから、映像信号処理部の動作は安定し、安定した映像が得られる。従って、エネルギー利用効率が良く、安定した映像が得られる映像表示装置を提供することができる。
【００１０】
また、本発明の映像表示装置の好ましい態様は、入力映像信号の同期信号の周波数と、入力映像信号の解像度と、電源部が供給する所定の電力とに関するデータテーブルを記憶する記憶部と、入力映像信号の同期信号の周波数を測定する周波数測定部とをさらに備え、解像度識別部は、周波数測定部が測定した周波数に応じて記憶部のデータテーブルから解像度を識別し、制御部は、解像度識別部が識別した解像度に応じ、記憶部のデータテーブルから電力に関する所定の値を選定することを特徴とする。
【００１１】
この構成によれば、記憶部は入力映像信号の同期信号の周波数と、入力映像信号の解像度と、電源部が供給する所定の電力とに関するデータテーブルを記憶している。ここで、電源部が供給する所定の電力とは、映像信号処理部が映像信号にスケーリングを施す際に必要な最低限の電力のことである。また、入力映像信号の解像度は、入力映像信号に含まれる同期信号の周波数により識別できる。ここで、周波数測定部は、入力映像信号の同期信号の周波数を測定する。解像度識別部は、周波数測定部が測定した入力映像信号の同期信号の周波数に応じて記憶部のデータテーブルから解像度を識別する。
【００１２】
これにより、制御部は、解像度識別部が識別した解像度に応じ、記憶部のデータテーブルから映像信号処理部が必要な最低限の電力に関する所定の値を選定することができる。従って、記憶部のデータテーブルにより、入力映像信号の解像度および映像信号処理部が必要な最低限の電力に関する所定の値を簡便に選定することができる。
【００１３】
また、本発明の映像表示装置の好ましい態様は、入力された映像信号を表示部に表示する映像表示装置であって、入力映像信号の同期信号の周波数から解像度を識別する解像度識別部と、少なくとも入力映像信号で表される映像を拡大および縮小することによって、入力映像信号の解像度を表示部の解像度に一致させる処理を含む、入力画像信号を表示部にて表示するのに適した信号に処理する映像信号処理部と、少なくとも映像信号処理部に所定の電力を供給する電源部と、解像度識別部、映像信号処理部、電源部とを制御する制御部とを、備え、制御部は、入力映像信号の同期信号の周波数に応じて、電源部の供給する電力に関する値を所定の値に設定することを特徴とする。
【００１４】
入力映像信号の解像度は、入力映像信号に含まれる同期信号の周波数により識別できる。さらに、電源部が映像信号処理部に供給する所定の電力は、入力映像信号の解像度に応じて、映像信号にスケーリングなどの処理を施すために必要な最低限の値としてあらかじめ把握されている。よって、入力映像信号に含まれる同期信号の周波数から、電源部の供給する電力に関する所定の値を導出することができる。この構成によれば、制御部は、入力映像信号の同期信号の周波数に応じて、電源部の供給する電力に関する値を所定の値に設定する。よって、映像信号処理部に供給する所定の電力は、あらかじめ把握している必要最低限の電力となっていることから余分なエネルギー消費を防ぐことができる。また、映像信号処理部に過剰な電力が供給されている場合は、余分な電力は熱エネルギーとなって慢性的に発散されるが、必要最低限の電力が供給されているため余分な発熱を抑えることができる。よって、発熱を抑えられることから、映像信号処理部の動作は安定し、安定した映像が得られる。従って、エネルギー利用効率が良く、安定した映像が得られる映像表示装置を提供することができる。
【００１５】
また、本発明の映像表示装置の好ましい態様は、入力映像信号の同期信号の周波数と、入力映像信号の解像度と、電源部が供給する所定の電力とに関するデータテーブルを記憶する記憶部と、入力映像信号の同期信号の周波数を測定する周波数測定部とをさらに備え、解像度識別部は、周波数測定部が測定した周波数に応じて記憶部のデータテーブルから解像度を識別し、制御部は、周波数測定部が測定した周波数に応じ、記憶部のデータテーブルから所定の電力に関する値を選定することを特徴とする。
【００１６】
この構成によれば、記憶部は入力映像信号の同期信号の周波数と、入力映像信号の解像度と、電源部が供給する所定の電力とに関するデータテーブルを記憶している。ここで、電源部が供給する所定の電力は、映像信号処理部が映像信号にスケーリングを施す際に必要な最低限の電力のことである。また、入力映像信号に含まれる同期信号の周波数から、電源部の供給する電力に関する所定の値を導出することができる。ここで、周波数測定部は、入力映像信号の同期信号の周波数を測定する。解像度識別部は、周波数測定部が測定した入力映像信号の同期信号の周波数に応じて記憶部のデータテーブルから解像度を識別する。
【００１７】
制御部は、周波数測定部が測定した周波数に応じて記憶部のデータテーブルから映像信号処理部が必要な最低限の電力に関する所定の値を選定する。従って、記憶部のデータテーブルにより、入力映像信号の解像度および映像信号処理部が必要な最低限の電力に関する所定の値を簡便に選定することができる。
【００１８】
また、本発明の映像表示装置の好ましい態様によれば、所定の電力は、電源部が供給する所定の電圧値により管理されることを特徴とする。
【００１９】
この構成によれば、電源部が供給する電力は、所定の電圧値により管理される。所定の電圧は、映像信号処理部に用いられているビデオプロセッサの定格範囲内の所定の電圧値となっている。定格範囲内の所定の電圧値が供給されている状態で、流すことができる電流量の上限はビデオプロセッサごとに決まっている。よって、電圧と電流の積として求められる電力は、供給する電圧値により管理することができる。また、電源部は、例えばＤＣ／ＤＣコンバータや、３端子レギュレータなどを備えることにより、簡便に複数の値を含む所定の電圧値を供給することができる。従って、電源部は、所定の電圧値を簡便に供給できる。さらに、所定の電圧値により電力を管理することができる。
【００２０】
また、本発明のプロジェクタの好ましい態様は、前記映像表示装置を備えることを特徴とする。この構成によれば、プロジェクタは、入力映像信号の解像度に応じて映像信号処理部に必要最低限の電力を供給することにより、エネルギー利用効率が良く安定した映像が得られる映像表示装置を備えている。従って、エネルギー利用効率が良く、安定した映像が得られるプロジェクタを提供することができる。
【００２１】
また、本発明の映像表示装置の制御方法における好ましい態様は、入力された映像信号の解像度を入力映像信号の同期信号の周波数から識別する解像度識別工程と、所定の電力を供給する電源部に、解像度識別工程にて測定された入力映像信号の同期信号の周波数に応じた所定の電力に関する値を設定する電力値設定工程と、入力映像信号で表される映像が、映像を表示する表示部に適した映像となるように、入力映像信号に少なくともスケーリングを含む処理を施す映像信号処理工程とを含むことを特徴とする。
【００２２】
この方法によれば、解像度識別工程では、入力された映像信号の解像度を入力映像信号の同期信号の周波数から識別する。電力値設定工程では、電源部に、解像度識別工程にて測定された入力映像信号の同期信号の周波数に応じた所定の電力に関する値を設定する。ここで、電源部が供給する所定の電力は、映像信号処理工程にて入力映像信号にスケーリングなどの処理を施す際に必要な最低限の電力のことである。映像信号処理工程では、入力映像信号で表される映像が、映像を表示する表示部に適した映像となるように、入力映像信号に少なくともスケーリングを含む処理を施す。
【００２３】
これにより、映像信号処理工程にてスケーリングなどの処理を施す際に消費される電力は必要最低限の電力となっている。よって、余分なエネルギー消費を防ぐことができる。また、映像信号処理を施すときに過剰な電力が供給されている場合は、余分な電力は熱エネルギーとなって慢性的に発散されるが、必要最低限の電力が供給されているため余分な発熱を抑えることができる。よって、発熱を抑えられることから、映像信号処理は安定した状態で行われ、安定した映像が得られる。従って、エネルギー利用効率が良く、安定した映像が得られる映像表示装置の制御方法を提供することができる。
【発明を実施するための最良の形態】
【００２４】
以下、添付図面に基づいて、本発明の実施形態を詳細に説明する。なお、この実施形態により本発明が限定されるものではない。
【００２５】
図１は、本発明の実施形態の映像表示装置を適応したプロジェクタの概略構成図である。プロジェクタ５０は、ランプ１が放射した光を、赤色光、青色光、緑色光の光の３原色成分に分離し、各色光毎に表示部としての各色光用液晶ライトバルブ２にて映像信号に応じて変調した後、再度合成してスクリーンＳＣに投写するいわゆる液晶３板式のプロジェクタである。ここでは、まず、プロジェクタ５０の概略構成について説明し、続いて、スケーリングについて説明する。そして最後に、映像信号処理部に供給する電力制御の方法ついて説明する。
【００２６】
プロジェクタ５０は、映像表示装置４０を備えている。映像表示装置４０は、映像信号処理部４と、電源部１０と、記憶部１５と、制御部１６などから構成されている。映像信号供給装置３は、例えば、パーソナルコンピュータやテレビジョン受信機など、外部から映像信号を供給する装置であり、プロジェクタ５０の図示しない外部接続端子に接続されている。映像信号供給装置３からの入力映像信号Ｖinは、アナログ映像信号であり、例えば、パーソナルコンピュータのコンピュータ映像を表すＲＧＢ信号や、テレビジョン受信機からのコンポジット信号としてプロジェクタ５０に供給される。以降、映像信号供給装置３としてパーソナルコンピュータが接続され、コンピュータ映像を表すＲＧＢ信号が入力映像信号Ｖinとして入力されている状態について説明する。なお、映像信号供給装置３としてのパーソナルコンピュータからは、ＲＧＢ信号Ｖinと共に、同期信号ＳＹＮＣが後述するビデオスケーラ６に供給されている。
【００２７】
映像信号処理部４は、入力映像信号Ｖinに所定の映像処理を施すことにより、表示部としての液晶ライトバルブ２に適した映像信号Ｄoutを生成する。映像信号処理部４は、映像コンバータ５と、ビデオスケーラ６、フレームメモリ７、フィルタ８とから構成されている。映像コンバータ５は、アナログ入力映像信号ＶinをＡ／Ｄ変換し、デジタル映像信号Ｄinとしてビデオスケーラ６に送る。ビデオスケーラ６は、デジタル映像信号Ｄinを１フレーム毎にフレームメモリ７に書き込み、所定の条件で読み出すことにより入力映像信号Ｖinの解像度を表示部としての液晶ライトバルブ２の解像度に一致させ、映像信号Ｄscとしてフィルタ８に送る。フレームメモリ７は、ＲＧＢ信号を記憶するためのメモリプレーンを有している。フィルタ８は、入力映像信号Ｖinの階調を液晶ライトバルブ２で表示するのに適した階調に変換するγ補正などの処理を施し、映像信号Ｄoutとして液晶ライトバルブ２を駆動する液晶パネル駆動部９へ送る。なお、スケーリングなどの映像信号処理部４が施す映像信号処理の詳細については後述する。また、周波数測定部１８は、映像信号処理部４に含まれており、入力映像信号Ｖinの同期信号ＳＹＮＣの周波数を測定する。
【００２８】
電源部１０は、スイッチング電源１１と、ＤＣ／ＤＣコンバータ１２、ＤＡコンバータ１３などから構成されている。スイッチング電源１１は、ＡＣ電源１４からの交流電圧をコンセント（図示せず）から導き、内蔵するＡＣ／ＤＣ変換部（図示せず）により変圧、整流および平滑することにより直流電圧を生成し、さらに、前記直流電圧がリップルを含んでいるためＰＷＭ（Pulse Width Modulation）制御を施し、安定化した基本直流電圧を得ている。電源部１０は、前記基本直流電圧を、ＤＣ／ＤＣコンバータ１１などにより各部が必要とする電圧値に変換して各部に動作電力を供給している。また、プロジェクタ５０においては、放電型のランプ１を点灯させるために、高電圧を生成するイグナイタ回路などを含む専用電源部がさらに必要であるが、発明の本旨ではないので説明を省略する。
【００２９】
ＤＣ／ＤＣコンバータ１２は、スイッチング電源１１が供給する基本直流電圧から所定の電圧Ｖｘを生成することができる。所定の電圧Ｖｘは、複数の値に設定することができる。複数の値の中から、どの電圧値を生成するかは、ＤＡコンバータ１３からの入力電圧によって決まる。ＤＡコンバータ１３が生成する電圧値は、後述する制御部１６による設定値によって決まる。ＤＣ／ＤＣコンバータ１２が生成した所定の電圧Ｖｘは、映像信号処理部４の、映像コンバータ５と、ビデオスケーラ６に供給されている。
【００３０】
記憶部１５は、例えばＥＥＰＲＯＭやフラッシュメモリなどの不揮発性のメモリから構成されている。記憶部１５には、入力映像信号Ｖinの同期信号ＳＹＮＣの周波数と、入力映像信号Ｖinの解像度と、電源部１０が供給する所定の電力に関する値としての所定の電圧Ｖｘとに関するデータテーブルが格納されている。データテーブルに格納されている情報は、設計段階であらかじめ把握することが可能である。また、記憶部１５には、前記データテーブル以外にも関係各部を制御するソフトウエアプログラムや、γ補正に関するパラメータなどの映像信号処理に関する諸データなどがあらかじめ格納されている。
【００３１】
制御部１６は、ＣＰＵから構成されており内部に解像度識別部１７を備えている。解像度識別部１７は、周波数測定部１８が測定した同期信号ＳＹＮＣの周波数のデータを受け取り、記憶部１５のデータテーブルを参照し、入力映像信号Ｖinの解像度を識別する。なお、解像度識別部１７の機能は、制御部１６が記憶部１５に格納されているソフトウエアプログラムを実行することにより実現される。
【００３２】
続いて、スケーリングについて図２と図１を用いて説明する。図２は、スケーリングについての説明図である。図２の左側に示すように、映像信号供給装置３としてのパーソナルコンピュータで生成される映像には、種々の解像度（６４０ドット×４００ライン、６４０ドット×４８０ライン、８００ドット×６００ライン、１０２４ドット×７６８ライン、１６００ドット×１２００ライン等）のものがある。一方、表示部としての液晶ライトバルブ２の解像度は一定であり、図２の例では８００ドット×６００ラインである。そこで、映像信号処理部４のビデオスケーラ６は、入力映像信号Ｖinに、入力映像信号Ｖinで表される映像を拡大または縮小する処理を施すことによって、液晶ライトバルブ２の解像度に一致した映像信号Ｄscを生成する。さらに、映像信号処理部４のフィルタ８により、γ補正などの処理を施し、映像信号Ｄoutとして液晶ライトバルブ２を駆動する液晶パネル駆動部９へ送る。これにより、入力映像信号Ｖinをプロジェクタ５０に入力すれば、液晶ライトバルブ２の画面一杯、すなわちスクリーンＳＣ一杯にその映像を表示することができる。これがスケーリングの概要である。
【００３３】
続いて、スケーリングの具体的な流れについて図１と、図３を用いて詳細に説明する。図３は、映像信号処理の流れを示すタイミングチャートである。まず、入力映像信号の解像度を識別して、フレームメモリ７に書き込む流れについて説明する。一水平走査分のアナログ映像信号が入力される場合には、水平同期信号ＨＳＹＮＣと、入力映像信号としてのアナログＲＧＢ信号Ｖinが入力されることになる。水平同期信号ＨＳＹＮＣは、映像信号供給装置３としてのパーソナルコンピュータからビデオスケーラ６に供給される同期信号ＳＹＮＣに含まれている。同期信号ＳＹＮＣには、水平同期信号ＨＳＹＮＣと、垂直同期信号（図示せず）とが含まれている。
【００３４】
Ａ／Ｄコンバータからなる映像コンバータ５は、ＲＧＢ信号ＶinにＡ／Ｄ変換を施しデジタル映像信号Ｄinを出力する。これは、ＲＧＢ信号Ｖinを液晶ライトバルブ２で表示するためには、スケーリングやγ補正などの映像処理を施す必要があるが、これらの映像処理を施すときには数値化されたデジタル信号が好ましいためである。映像コンバータ５が、ＲＧＢ信号ＶinにＡ／Ｄ変換を施すためには、サンプリングクロックＳＣＬＫ１が必要である。図３には、このサンプリングクロックＳＣＬＫ１の出力タイミングが示されている。映像コンバータ５は、サンプリングクロックＳＣＬＫ１の立ち上がりのタイミングでＲＧＢ信号Ｖinをサンプリングし、デジタル信号に変換する。
【００３５】
サンプリングクロックＳＣＬＫ１は、ビデオスケーラ６内のＰＬＬ（Phase Locked Loop）回路１９で生成される。ＰＬＬ回路１９は、同期信号ＳＹＮＣの周波数をＮ倍することによってサンプリングクロックＳＣＬＫ１を生成する。水平同期信号ＨＳＹＮＣがビデオスケーラ６に入力される前段階で、周波数測定部１８は、水平同期信号ＨＳＹＮＣの周波数を測定する。解像度識別部１７は、バスラインおよびＣＰＵアクセスコントローラ（図示せず）を介して周波数測定部１８が測定した水平同期信号ＨＳＹＮＣの周波数のデータを受け取り、記憶部１５のデータテーブルを参照し、入力映像信号Ｖinの解像度を識別する。
【００３６】
ここで、映像信号供給装置３としてのパーソナルコンピュータから出力される同期信号ＳＹＮＣの周波数などは、ＲＧＢ信号Ｖinの解像度によって、または、同一の解像度においても、パーソナルコンピュータの種別や製造メーカによって若干異なっていることがある。例えば、ＶＧＡ（６４０ドット×４８０ライン）という同一の解像度においても、Ａ社のコンピュータは一水平走査期間が８００ドットの出力周期で構成されるのに対しＢ社では８１０ドットで構成されるものがある。
【００３７】
図３の例では、ｔａ〜ｔｂの期間、水平同期信号ＨＳＹＮＣのパルスが出力される。そして、水平同期信号ＨＳＹＮＣのパルスがｔｂで立ち上がった時点から、所定のバックポーチ１０２の時間が経過した時点ｔｃから、一水平走査分のＲＧＢ信号Ｖinが出力されることになる。ここでは、６４０画素分のアナログ映像信号が出力される。そして、ｔｅのタイミングでＲＧＢ信号Ｖinの出力が終了し、ｔｆのタイミングで一水平走査分の信号出力が終了する。よって、ｔａ〜ｔｆの一水平走査のトータル時間は、６４０画素分のアナログ映像信号の出力周期に対応させて考えると８００ドット分の時間となる。従って、入力映像信号Ｖinから、正確にデジタル信号をサンプリングするためには、ｔａ〜ｔｆの間に、８００個のサンプリングクロックＳＣＬＫ１を出力する必要がある。
【００３８】
このため、記憶部１５のデータテーブルには、想定される全てのパーソナルコンピュータの種別や製造メーカごとの、同期信号周波数、解像度、サンプリングクロックＳＣＬＫ１についての相関データが格納されている。図４は、記憶部１５のデータテーブルＴを示している。例えば、図３の例において、周波数測定部１８が測定した水平同期信号ＨＳＹＮＣの周波数が３１．５ｋHzであったとする。解像度識別部１７は、周波数測定部１８が測定した水平同期信号ＨＳＹＮＣの周波数３１．５ｋHzに基づき、記憶部１５のデータテーブルを参照し、ＲＧＢ信号Ｖinの解像度をＮｏ３に示す６４０ドット×４８０ライン（ＶＧＡ）であると識別する。
【００３９】
図４には、サンプリングクロックＳＣＬＫ１についての記載はないが、実際のデータテーブルにはクロック数８００個を得るために、水平同期信号ＨＳＹＮＣの倍率に関するパラメータＮが格納されている。また、図４には記載していないが、解像度を認識するために、上述の同期信号周波数の他、シンクタイプ（シンク・オン・グリーン、水平垂直が合成された同期信号、水平垂直が分離された同期信号などの種別）や同期信号の極性などを使用することもある。制御部１６は、引き当てられた倍率に関するパラメータＮをＰＬＬ回路１９に設定する。これにより、ＲＧＢ信号Ｖinの解像度に応じたサンプリングクロックＳＣＬＫ１を生成することができる。
【００４０】
図３および図１に戻る。ビデオスケーラ６は、ＲＧＢ信号ＶinとサンプリングクロックＳＣＬＫ１との位相を合わせるために水平シグナル信号ＨＳＩＧおよび周波数参照信号ＦＲＥＦを生成し、ＰＬＬ回路１９に入力する。ＨＳＩＧは、水平同期信号ＨＳＹＮＣのＨとＬのレベルが反転した水平シグナル信号である。周波数参照信号ＦＲＥＦは、水平同期信号ＨＳＹＮＣの立ち下がりの時点ｔａから一水平走査周期８００ドットに対応したサンプリングクロック数が出力される周期を持つ信号である。ＰＬＬ回路１９は、水平シグナル信号ＨＳＩＧおよび周波数参照信号ＦＲＥＦを用いて、水平同期信号ＨＳＹＮＣの立ち下がりに、最初の出力パルスが完全に同期するようにその位相を合わせる。
【００４１】
このようにして、一水平走査分のＲＧＢ信号ＶinがサンプリングクロックＳＣＬＫ１に同期してサンプリングされる。ビデオスケーラ６は、各ドット位置（水平方向アドレス）についてはサンプリングクロックＳＣＬＫ１、走査線位置（垂直方向アドレス）については水平同期信号ＨＳＹＮＣ、各フレーム（各フィールド）については垂直同期信号ＶＳＹＮＣに、それぞれ同期させて１フレームごとにデジタル映像信号Ｄinをフレームメモリ７に書き込む。
【００４２】
さらに、ビデオスケーラ６は、液晶ライトバルブ２の解像度に合わせた読み出し用の信号として、サンプリングクロックＳＣＬＫ２、水平同期信号ＨＳＹＮＣ２、垂直同期信号ＶＳＹＮＣ２（いずれも図示せず）を生成する。入力映像信号Ｖinの拡大率および縮小率は、サンプリングクロックＳＣＬＫ２、水平同期信号ＨＳＹＮＣ２、垂直同期信号ＶＳＹＮＣ２により調整することが可能である。ビデオスケーラ６は、サンプリングクロックＳＣＬＫ２、水平同期信号ＨＳＹＮＣ２、垂直同期信号ＶＳＹＮＣ２に同期して、フレームメモリ７から映像信号を読み出し、液晶ライトバルブ２の解像度に合致したデジタル信号Ｄscを生成する。なお、このようなスケーリングについては、本出願人による特開平９−１１４４４３号に詳しく記載されている。
【００４３】
前述のスケーリングを施すとき、映像コンバータ５およびビデオスケーラ６の消費電力は、入力映像信号Ｖinの解像度に比例している。図５（ａ）は、入力映像信号を読み込むときの基準クロックの速さと、消費電力の大きさとを表すグラフである。図５（ａ）と図１を用いて説明する。基準クロックとしてのサンプリングクロックＳＣＬＫ１は、入力映像信号Ｖinの解像度が高くなると処理する情報量が増えるため速くなる。このため、映像コンバータ５およびビデオスケーラ６に供給電圧として定電圧Ｖ３を印可したときの消費電力量は、線Ｄに示す通り、サンプリングクロックＳＣＬＫ１が速くなると増加し、遅くなると減少する。また、基準クロックの速さに拘わらず、常に定電圧Ｖ３が供給されているため、総じて消費電力が大きく、入力映像信号Ｖinの解像度が低く基準クロックが遅いときには過剰な電力が供給された状態となっているため、余分な電力は熱エネルギーとして発散している。このため、映像コンバータ５およびビデオスケーラ６は慢性的に発熱しており、動作が不安定になることもある。
【００４４】
続いて、映像信号処理部に供給する電力制御の方法ついて説明する。図６は、本実施形態における電力制御のフローチャートである。図６と、図１を用いて説明する。プロジェクタ５０は、電源スイッチが投入されており、関係各部の初期化動作が終了した映像信号の入力待ち受け状態に設定されている。ステップＳ１では、映像信号供給装置３としてのパーソナルコンピュータから、入力映像信号としてのＲＧＢ信号Ｖinが映像コンバータ５に、また、同期信号ＳＹＮＣがビデオスケーラ６にそれぞれ供給される。ステップＳ２では、周波数測定部１８は水平同期信号ＨＳＹＮＣの周波数を測定する。周波数測定部１８は、水平同期信号ＨＳＹＮＣを都度測定しており、水平同期信号ＨＳＹＮＣの変化を検出することができる。
【００４５】
ステップＳ３では、解像度識別部１７が、周波数測定部１８が測定した水平同期信号ＨＳＹＮＣの周波数の変化の有無を検出している。ここでは、入力待ち受け状態から同期信号ＳＹＮＣが入力されているので、水平同期信号ＨＳＹＮＣの周波数の変化が有ったこととなりステップＳ４へ進む。また、映像を投写している途中など水平同期信号ＨＳＹＮＣの周波数の変化が無い場合は、後述する電源電圧選定および設定ステップＳ４、Ｓ５を飛ばしてステップＳ６へ進む。ステップＳ４では、解像度識別部１７は、周波数測定部１８が測定した水平同期信号ＨＳＹＮＣの周波数のデータを受け取り、記憶部１５のデータテーブルＴを参照し、ＲＧＢ信号Ｖinの解像度を識別する。さらに、制御部１６は、解像度識別部１７が識別したＲＧＢ信号Ｖinの解像度に基づき、記憶部１５のデータテーブルＴを参照し、映像コンバータ５およびビデオスケーラ６へ供給する所定の電圧Ｖｘの値を選択する。
【００４６】
図４を加えて説明する。例えば、周波数測定部１８が測定した水平同期信号ＨＳＹＮＣの周波数が３１．５ｋHzであったとする。解像度識別部１７は、周波数測定部１８が測定した水平同期信号ＨＳＹＮＣの周波数３１．５ｋHzに基づき、図４に示す記憶部１５のデータテーブルＴを参照し、ＲＧＢ信号Ｖinの解像度をＮｏ３に示すＶＧＡであると識別する。さらに、制御部１６は、解像度識別部１７が識別したＲＧＢ信号Ｖinの解像度に基づき、記憶部１５のデータテーブルＴを参照し、映像コンバータ５およびビデオスケーラ６へ供給する所定の電圧Ｖｘの値Ｖ１を選択する。なお、図４に示す通り、本実施形態においては、入力映像信号の解像度に応じて所定の電圧Ｖｘの値をＶ１〜Ｖ３の３段階に設定している。
【００４７】
なお、前述したとおり、記憶部１５のデータテーブルＴに格納されている入力映像信号Ｖinの同期信号ＳＹＮＣの周波数、入力映像信号Ｖinの解像度、電源部１０が供給する所定の電力としての所定の電圧Ｖｘなどのデータは設計段階であらかじめ把握されているものである。よって、ステップＳ４において、制御部１６は、解像度識別部１７によりＲＧＢ信号Ｖinの解像度が識別される前であっても、水平同期信号ＨＳＹＮＣの周波数を把握できれば、記憶部１５のデータテーブルＴを参照して映像コンバータ５およびビデオスケーラ６へ供給する所定の電圧Ｖｘの値を選択することも可能である。制御部１６は、入力映像信号Ｖinの同期信号ＳＹＮＣの周波数、または入力映像信号Ｖinの解像度のどちらか一方が把握できれば、記憶部１５のデータテーブルＴから、所定の電圧Ｖｘを選択することができる。
【００４８】
ここで、所定の電圧Ｖｘの値と消費電力の関係について図５（ｂ）と図４とを用いて説明する。図５（ｂ）は、入力映像信号を読み込むときの基準クロックの速さと、供給電圧としての所定の電圧値を変化させたときの消費電力の大きさを表すグラフである。図４において、所定の電圧値は入力映像信号の解像度に応じて設定値が段階的に設定されている。Ｎｏ１に示す解像度が６４０ドット×４００ラインのときは、所定の電圧Ｖｘの値はＶ１となる。また、Ｎｏ２〜３における解像度がＶＧＡ（６４０ドット×４８０ライン）のときは、所定の電圧Ｖｘの値はＶ１となる。同様に、Ｎｏ４における解像度がＳＸＧＡ（８００ドット×６００ライン）のときは、所定の電圧Ｖｘの値はＶ２となる。Ｎｏ５の解像度がＸＧＡ（１０２４ドット×７６８ライン）およびＮｏ６の解像度がＵＸＧＡ（１６００ドット×１２００ライン）のときは、所定の電圧Ｖｘの値はＶ３となる。
【００４９】
所定の電圧Ｖ１〜Ｖ３は、解像度の高さに比例して電圧値が高くなるように設定されている。例えば、映像コンバータ５およびビデオスケーラ６を構成するビデオプロッセッサ（図示せず）の定格電源電圧値がＤＣ３〜６Ｖであったとする。この場合、所定の電圧Ｖ１〜Ｖ３は、Ｖ１を３Ｖ、Ｖ２を４．５Ｖ、Ｖ３を６Ｖに設定する。入力映像信号の解像度がＶＧＡと低いときには、処理する情報量が少ないので基準クロックとしてのサンプリングクロックＳＣＬＫ１を遅くすることができる。よって、供給電圧としての所定の電圧Ｖ１を３Ｖとしても十分に処理ができる。また、所定の電圧Ｖ１（３Ｖ）は、ビデオプロッセッサの定格電源電圧範囲の最低電圧であり、過剰な電力が供給されないため余分な電力の熱エネルギーによる発散が少なく、ビデオプロッセッサの発熱を抑えられる。
【００５０】
同様に、入力映像信号の解像度がＳＶＧＡのときには、処理する情報量に応じて最低限必要な所定の電圧Ｖ２（４．５Ｖ）を供給する。さらに、解像度が上り、ＸＧＡおよびＵＸＧＡの入力映像信号のときには、処理する情報量も増えるのでビデオプロッセッサの持つ最大の処理能力を発揮できる定格電源電圧範囲の最大電圧Ｖ３（６Ｖ）を供給する。このように、映像コンバータ５およびビデオスケーラ６には、入力映像信号の解像度が低いときには低い電圧値が供給され、入力映像信号の解像度が高いときには高い電圧が供給される。これにより、図５（ｂ）に示すように、基準クロックの速さに拘わらず供給電圧をＶ３の定電圧に設定した場合の消費電力を示す線Ｄと比較して、斜線部Ｅで示す部分の消費電力を低く抑えることができる。また、斜線部Ｅで示す部分の電力分に相当する熱エネルギーによる発散を減らすことができる。
【００５１】
ステップＳ５では、制御部１６が、ステップＳ４で選定された、映像コンバータ５およびビデオスケーラ６へ供給する所定の電圧、例えばＶ１をＤＡコンバータ１３へ設定する。ＤＡコンバータ１３は、制御部１６により設定された所定の電圧Ｖ１に応じた電圧を生成し、ＤＣ／ＤＣコンバータ１２へ供給する。ＤＣ／ＤＣコンバータ１２は、ＤＡコンバータ１３からの電圧に応じて、所定の電圧Ｖ１を生成し、映像コンバータ５およびビデオスケーラ６へ供給する。このようにして、ＤＣ／ＤＣコンバータ１２から映像コンバータ５およびビデオスケーラ６へ供給される電源電圧としての所定の電圧Ｖｘは、入力映像信号の解像度に応じて、Ｖ１〜Ｖ３の３段階の電圧として供給される。
【００５２】
ステップＳ６では、ＰＬＬ回路１９により、同期信号ＳＹＮＣの周波数をＮ倍することによってサンプリングクロックＳＣＬＫ１を生成する。ステップＳ７では、映像コンバータ５により、ＲＧＢ信号ＶinをサンプリングクロックＳＣＬＫ１と、水平シグナル信号ＨＳＩＧおよび周波数参照信号ＦＲＥＦにて同期を取って、Ａ／Ｄ変換し、デジタル映像信号Ｄinを生成する。ステップＳ８では、ビデオスケーラ６により、デジタル映像信号Ｄinにスケーリングを施し、液晶ライトバルブ２の解像度に合致したデジタル映像信号Ｄscを生成する。ステップＳ９では、フィルタ８により、デジタル映像信号Ｄscに所定の映像処理、例えばγ補正や、液晶ライトバルブ２に固有の輝度むらなどに起因する色むら補正などの処理を施し、デジタル映像信号Ｄoutを生成する。
【００５３】
ステップＳ１０では、フィルタ８により、デジタル映像信号Ｄoutが液晶パネル駆動部へ出力される。液晶パネル駆動部９は、デジタル映像信号Ｄoutを液晶ライトバルブ２に供給する。これにより、液晶ライトバルブ２は、ＲＧＢ各色光用の液晶ライトバルブごとにデジタル映像信号Ｄoutに応じた映像を映し出す。ランプ１から投写された白色光は、色分離光学系（図示せず）でＲＧＢ各色光成分に分離され、ＲＧＢ各色光ごとに各色光用の液晶ライトバルブ２にて映像信号Ｄoutに応じて変調され、合成光学系（図示せず）で合成されて、スクリーンＳＣ一杯にフルカラーの投写映像を映し出す。
【００５４】
上述した通り、本実施形態によれば以下の効果が得られる。
（１）解像度識別部１７は入力映像信号Ｖinの解像度を識別し、制御部１６は解像度識別部１７が識別した入力映像信号Ｖinの解像度に応じて、映像信号処理部４の映像コンバータ５およびビデオスケーラ６に供給する電源部１０からの電力に関する値を所定の値に設定する。電源部１０が映像信号処理部４の映像コンバータ５およびビデオスケーラ６に供給する所定の電力は、あらかじめ把握されており、映像信号処理部４が映像信号Ｖinにスケーリングを施す際の、入力映像信号Ｖinの解像度に応じた最低限必要な消費電力となる。
【００５５】
よって、映像信号処理部４に供給する所定の電力を、必要最低限の電力とすることにより余分なエネルギー消費を防ぐことができる。従って、消費電力を低減できる。また、映像信号処理部４に過剰な電力が供給されている場合は、余分な電力は熱エネルギーとなって慢性的に発散されるが、必要最低限の電力が供給されているため余分な発熱を抑えることができる。よって、発熱を抑えられることから、映像信号処理部４の動作は安定し、安定した映像が得られる。従って、エネルギー利用効率が良く、安定した映像が得られる映像表示装置４０を提供することができる。
【００５６】
（２）記憶部１５は入力映像信号Ｖinの同期信号ＳＹＮＣの周波数と、入力映像信号Ｖinの解像度と、電源部１０が供給する所定の電圧Ｖｘとに関するデータテーブルＴを記憶している。周波数測定部１８は、入力映像信号Ｖinの同期信号ＳＹＮＣの周波数を測定する。入力映像信号Ｖinの解像度は、入力映像信号Ｖinに含まれる同期信号ＳＹＮＣの周波数により識別できる。解像度識別部１７は、周波数測定部１８が測定した入力映像信号Ｖinの同期信号の周波数に基づいて、記憶部１５のデータテーブルから解像度を識別する。制御部１６は、解像度識別部１７が識別した解像度に応じ、記憶部１５のデータテーブルＴから映像信号処理部４が必要な最低限の電力に関する所定の電圧Ｖｘを選定する。また、制御部１６は、入力映像信号Ｖinの同期信号ＳＹＮＣの周波数、または入力映像信号Ｖinの解像度のどちらか一方が把握できれば、記憶部１５のデータテーブルＴから、所定の電圧Ｖｘを選択することができる。
【００５７】
電源部１０が映像信号処理部４の映像コンバータ５およびビデオスケーラ６に供給する所定の電圧Ｖｘの値は、映像信号処理部４が映像信号Ｖinにスケーリングを施す際の、入力映像信号Ｖinの解像度に応じた最低限必要な消費電力から導出されており、あらかじめ把握することができる。従って、記憶部１５のデータテーブルにより、入力映像信号Ｖinの解像度および映像信号処理部４が必要な最低限の電力に関する所定の電圧Ｖｘを簡便に選定することができる。
【００５８】
さらに、電源部１０が供給する電力は、所定の電圧Ｖｘにより管理されている。所定の電圧Ｖｘは、映像信号処理部４に用いられているビデオプロセッサの定格範囲内の所定の電圧Ｖ１〜Ｖ３となっている。定格範囲内の所定の電圧Ｖ１〜Ｖ３が供給されている状態で、流すことができる電流量の上限はビデオプロセッサごとに決まっている。よって、電圧と電流の積として求められる電力は、供給する電圧Ｖ１〜Ｖ３により管理することができる。また、電源部１０は、ＤＡコンバータ１３およびＤＣ／ＤＣコンバータ１２を備えることにより、簡便に複数の値を含む所定の電圧Ｖ１〜Ｖ３を供給することができる。従って、電源部１０は、所定の電圧Ｖ１〜Ｖ３を簡便に供給できる。さらに、所定の電圧Ｖ１〜Ｖ３により電力を管理することができる。
【００５９】
（３）プロジェクタ５０は、入力映像信号Ｖinの解像度に応じて映像信号処理部４に必要最低限の電力を供給することにより、エネルギー利用効率が良く安定した映像が得られる映像表示装置４０を備えている。従って、エネルギー利用効率が良く、安定した映像が得られるプロジェクタ５０を提供することができる。
【００６０】
なお、本発明は上述した実施形態に限定されず、上述した実施形態に種々の変更や改良などを加えることが可能である。変形例を以下に述べる。
【００６１】
（変形例１）図５（ｂ）と、図１を用いて説明する。前記実施形態の所定の電圧Ｖ１〜Ｖ３は、３段階の電圧値に限定するものではない。複数の段階、または、リニアに電圧値が変化することとしても良い。前記実施形態では、所定の電圧はＶ１〜Ｖ３の３段階に設定されているが、２段階以上の複数段階の電圧設定があれば同様に消費電力を抑えることができる。例えば、Ｖ１と、Ｖ３の２段階であったとしても、基準クロックの速さに拘わらず供給電圧をＶ３の定電圧に設定した場合の消費電力を示す線Ｄと比較して、前記実施形態のときの斜線部Ｅよりも範囲は少なくなるが消費電力を低く抑えることができる。
【００６２】
また、所定の電圧値を段階的に設定するのではなく、基準クロックの速さに応じて、映像信号処理部４が必要とする最低電圧値を結ぶ線に沿ってリニアに変化するように設定しても良い。これにより、映像信号処理部４には常に必要最低限の電力が供給されることになるので、エネルギー利用効率が良い。さらに、余分な電力が印加されていないので発熱も少なく、安定した動作が確保できる。従って、安定した映像が得られる。
【００６３】
（変形例２）図１を用いて説明する。前記実施形態の映像信号処理部４は、映像コンバータ５と、ビデオスケーラ６と、フィルタ８とから構成されているが、これに限定するものではない。ビデオスケーラ６の内部にフィルタ８を設けることとしても良い。さらに、フィルタ８を含むビデオスケーラ６と、映像コンバータ５とを、１つのビデオプロセッサとして構成しても良い。前記実施形態では、ビデオスケーラ６にて生成したデジタル信号Ｄscをフィルタ８に送り、フィルタ８にて所定の映像処理を施すことによりデジタル信号Ｄoutを生成する構成となっている。
【００６４】
例えば、ビデオスケーラ内部に、ビデオスケーラ内部でフレームメモリ７から映像信号を読み出すときに、１ラインずつの映像信号を交互に書き込む２つのＦＩＦＯバッファを設け、２つのＦＩＦＯバッファの内、書き込みの行われていない方のバッファに所定の映像処理を施すこととする。これにより、ビデオスケーラ６の内部でフィルタ８の働きを取り込むことができる。また、映像信号処理部４は、映像コンバータ５と、ビデオスケーラ６のみの構成となり構成を簡素化できる。
【００６５】
また、フィルタ８を含むビデオスケーラ６と、映像コンバータ５とを、１つのビデオプロセッサとして構成することにより、さらに、映像信号処理部４の構成を簡素化できる。映像信号処理部４の構成が簡素化されることにより、映像信号処理部４へ供給する所定の電圧Ｖｘは、１つのビデオプロセッサの定格のみ考慮すれば良いので設定が簡単になる。また、電源部１０の構成も単一出力で良いので簡素化できる。さらに、映像信号処理部４および電源部１０の構成が簡素化されることにより、部品点数が減り、また、実装工数も削減することができる。よって、小型化が可能となり、また、製造コストも抑えることができる。
【００６６】
（変形例３）前記実施形態では、周波数測定部１８を、映像信号処理部４の内部に設けているが、この構成に限定するものではない。図１を用いて説明する。周波数測定部１８は、制御部１６の解像度識別部１７内に設ける構成とすることもできる。周波数測定部１８は、ＣＰＵから成る制御部１６の内部カウンタ（図示せず）を用いて、記憶部１５に格納されているソフトウエアプログラムを実行することにより実現できる。この構成によれば、解像度識別部１７内の周波数測定部１８は、バスラインおよびＣＰＵアクセスコントローラ（図示せず）を介して水平同期信号ＨＳＹＮＣの周波数を測定することができる。
【００６７】
（変形例４）前記実施形態および各変形例による映像表示装置およびその制御方法に関する技術は、外部に設けられたスクリーンに映像を投写する投写型のプロジェクタに限定されるものではない。入力される映像信号にスケーリングなどを施すことにより、備え付けの表示部の解像度などに合わせた映像信号に変換してから、表示部で表示する映像表示装置であれば適応できる。例えば、投写型のプロジェクタとほぼ同様な光学系を備え、同一個体内に設けられた透過型スクリーンに背面から投写画像を投写するリアプロジェクタに適用することもできる。また、前記実施形態のプロジェクタの空間光変調部は、透過型の液晶ライトバルブを用いる構成としたが、これに限定するものではない。例えば、反射型液晶表示装置や、ティルトミラーデバイスを用いる構成としても良い。さらに、液晶テレビ、プラズマテレビ、などにも適応することができる。また、外部からの映像信号を無線通信により入力することを想定すると携帯電話を含むＰＤＡ（Personal Digital Assistance）にも適応が可能である。
【００６８】
前記実施形態および各変形例から把握できる請求項に記載されている以外の技術的思想について、以下にその効果とともに記載する。
【００６９】
入力された映像信号の同期信号を測定する周波数測定工程と、所定の電力を供給する電源部に、前記入力映像信号の同期信号の周波数と、前記入力映像信号の解像度と、前記電源部が供給する所定の電力に関するデータとを有する記憶部のデータテーブルから、前記周波数測定工程にて測定された前記入力映像信号の同期信号の周波数に応じた所定の電力に関する値を設定する電力値設定工程と、前記記憶部のデータテーブルから、前記周波数測定工程にて測定した周波数に応じた前記入力映像信号の解像度を識別する解像度識別工程と、前記解像度識別工程で識別した前記入力映像信号の解像度に応じて、前記入力映像信号で表される映像が、映像を表示する表示部に適した映像となるように、前記入力映像信号に少なくともスケーリングを含む処理を施す映像信号処理工程とを含むことを特徴とする映像表示装置の制御方法。
【００７０】
この方法によれば、周波数測定工程では、入力映像信号の同期信号を測定する。電力値設定工程では、映像信号処理工程に電力を供給する電源部に、記憶部のデータテーブルから、周波数測定工程にて測定された入力映像信号の同期信号の周波数に応じた所定の電力に関する値を設定する。ここで、電源部が供給する所定の電力とは、映像信号処理工程にて入力映像信号にスケーリングなどの処理を施す際に必要な最低限の電力のことである。解像度識別工程では、記憶部のデータテーブルから、周波数測定工程にて測定された入力映像信号の同期信号の周波数に応じた入力映像信号の解像度を識別する。映像信号処理工程では、解像度識別工程で識別した入力映像信号の解像度に応じて、入力映像信号で表される映像が、映像を表示する表示部に適した映像となるように、入力映像信号に少なくともスケーリングを含む処理を施す。
【００７１】
これにより、映像信号処理工程にてスケーリングなどの処理を施す際に消費される電力は必要最低限の電力となる。よって、余分なエネルギー消費を防ぐことができる。また、映像信号処理を施すときに過剰な電力が供給されている場合は、余分な電力は熱エネルギーとなって慢性的に発散されるが、必要最低限の電力が供給されているため余分な発熱を抑えることができる。よって、発熱を抑えられることから、映像信号処理は安定した状態で行われ、安定した映像が得られる。従って、エネルギー利用効率が良く、安定した映像が得られる映像表示装置の制御方法を提供することができる。
【図面の簡単な説明】
【００７２】
【図１】一実施形態のプロジェクタの概略構成図。
【図２】スケーリングについての説明図。
【図３】映像信号処理の流れを示すタイミングチャート。
【図４】記憶部のデータテーブル図。
【図５】（ａ）は基準クロックと消費電力との相関を示すグラフ。（ｂ）は基準クロックと供給電圧と消費電力との相関を示すグラフ。
【図６】電力制御のフローチャート。
【符号の説明】
【００７３】
１…ランプ、２…表示部としての液晶ライトバルブ、３…映像信号供給装置、４…映像信号処理部、５…映像コンバータ、６…ビデオスケーラ、７…フレームメモリ、８…フィルタ、９…液晶パネル駆動部、１０…電源部、１１…スイッチング電源、１２…ＤＣ／ＤＣコンバータ、１３…ＤＡコンバータ、１４…ＡＣ電源、１５…データテーブルを記憶する記憶部、１６…制御部、１７…解像度識別部、１８…周波数測定部、１９…ＰＬＬ回路、４０…映像表示装置、５０…プロジェクタ、Ｖin…入力映像信号、ＳＹＮＣ…同期信号、Ｖｘ…所定の電力としての電圧。
【図１】
2006038981.tif 000003
【図２】
2006038981.tif 000004
【図３】
2006038981.tif 000005
【図４】
2006038981.tif 000006
【図５】
2006038981.tif 000007
【図６】
2006038981.tif 000008